(57)【要約】【課題】  ファイルホルダーにおいて、構造を強化し、且つ、同じ厚さの紙質のファイルホルダーと比べて製造コストを押え、更に、異色層及び多様色彩を具備することを可能とすることを目的とする。【解決手段】  板材(10)が折り曲げ部(１１ａ，１１ｂ)で折り曲げられて、底板(12)及び上板(13)を具備し、底板(12)内側の折り曲げ部(１１ａ)付近にファイルを押える押え部(14)を有する。板材(10)は多層構造であり、多層構造の中央層(101)は少なくとも１つの発泡プラスチックによって構成され、上記中央層(101)の両側の表面にはそれぞれ１枚のプラスチック製表面層(102，103)が貼り付けられた構造である。【選択図】  図２
0003104677.tif 000002
【実用新案登録請求の範囲】
【請求項１】
板材(10)の中央付近に少なくとも１つの折り曲げ部(１１ａ，１１ｂ)を有し、上記板材(10)は上記折り曲げ部(１１ａ，１１ｂ)で折り曲げられ、折り曲げられた上記板材(10)は底板(12)及び上板(13)を具備し、上記底板(12)内側の上記折り曲げ部(１１ａ)付近にファイルを押える１つの押え部(14)が設置された構造であり、且つ、
上記板材(10)は多層構造であり、上記多層構造の中央層(101)は少なくとも１つの発泡プラスチックによって構成され、上記中央層(101)の両側の表面にはそれぞれ１枚のプラスチック製表面層(102、103)が貼り付けられた構造であることを特徴とするファイルホルダー。
【請求項２】
請求項１に記載のファイルホルダーにおいて、
上記板材(10)の上記中央層(101)は、多層の発泡プラスチックによって構成してあることを特徴とするファイルホルダー。
【請求項３】
請求項１に記載のファイルホルダーにおいて、
上記板材(10)の上記中央層(101)と２つの上記表面層(102、103)とは、異なる色、或いは異なる模様を有することを特徴とするファイルホルダー。
【請求項４】
板材(10)の中央付近に少なくとも１つの折り曲げ部(１１ａ，１１ｂ)を有し、上記板材(10)は上記折り曲げ部(１１ａ，１１ｂ)で折り曲げられ、折り曲げられた上記板材(10)は底板(12)及び上板(13)を具備し、上記底板(12)内側の上記折り曲げ部(１１ａ)付近にファイルを押える１つの押え部(14)が設置された構造であり、且つ、
上記底板(12)、上記上板(13)のそれぞれの相対する適当な位置に、開け口(121、131)或いは貫通孔(122、132)を設けて、手提げ部(21)或いは掛け穴(22)が形成してある構成としたことを特徴とするファイルホルダー。
【考案の詳細な説明】
【技術分野】
【０００１】
本考案はファイルホルダーに係り、特に、ファイルホルダーの板材を多層構造として、構造を強化でき、且つ、製造コストを押えることができ、更に、多色層及び多様性を具備することができる実用的なファイルホルダーの構造に関する。
【背景技術】
【０００２】
従来のファイルホルダーの構造は、一般的には板材が紙質或いはプラスチック製の材質であるものである。
【考案の開示】
【考案が解決しようとする課題】
【０００３】
この種のファイルホルダーは以下の欠点があり、改良が待たれている。
１．ファイルホルダー内に一定重量のファイルを挟む時、紙質の板材が薄すぎた場合、ファイルホルダーが柔らか過ぎて、ファイルの重量に耐えられず折り曲げられてしまう。又、紙質板材の厚さを厚くすれば、プラスチック材よりコストがかかり過ぎてしまう。仮に紙質板材の厚さを厚くし、強度の問題を改善したとしても、紙質であるため、空気中の湿度或いは水の浸透を防ぐことができないため、紙質のファイルホルダーは一定期間使用後には軟化してしまう。
２．業者はコストを押えるため及び紙質による問題を改善するために、プラスチック製板材により、ファイルホルダーを製造するけれども、プラスチック製板材が薄すぎた場合、やはり柔らか過ぎて、ファイルの重量の負荷に耐えることができない。又、プラスチック性板材は単色設計成型されるため、ファイルホルダーの外観は異色性、多様色彩を具備することができない。
３．紙質或いはプラスチック製にかかわらず従来のファイルホルダーは、ファイルホルダーにたくさんのファイルを入れ、重量が重くなった時、使用者はカバンや手提げ袋等ファイルを携帯できる物がない時、手の平でファイルホルダーを持つか或いは両手でファイルホルダーをかかえるようにして携帯しなければならず（特に女性によく見られる）、置いたり、持ち上げたり、携帯したりする各動作において不便を感じる。
【０００４】
本考案人は上記課題に取り組み、関係する製品の開発及び設計に従事し、上記の目標に焦点をしぼり、研究を行ない、設計をより精密にし、試験と評価を繰り返し、ついに実用性のある本考案を完成した。
【０００５】
本考案は、上記の欠点を解決したファイルホルダーを提供することを目的とする。
【０００６】
即ち、本考案の主な目的は、一種のファイルホルダーの構造を提供するもので、主な特徴は、板材が多層構造であることにより、ファイルホルダーの構造を強化でき、且つ、製造コストを押えることができ、更に、異色層及び多様色彩を具備することができる実用的なファイルホルダーの構造を提供することである。
【０００７】
本考案のもう１つの目的は、ファイルホルダーの底板、上板のそれぞれの相対する適当な位置に開け口或いは貫通孔を設けることにより、手提げ部或いは掛け穴を具備して、ファイルホルダーを持ったり、携帯したり、掛けたりする動作が容易になるようにすることである。
【課題を解決するための手段】
【０００８】
本考案は、板材(10)の中央付近に少なくとも１つの折り曲げ部(１１ａ，１１ｂ)を有し、上記板材(10)は上記折り曲げ部(１１ａ，１１ｂ)で折り曲げられ、折り曲げられた上記板材(10)は底板(12)及び上板(13)を具備し、上記底板(12)内側の上記折り曲げ部(１１ａ)付近にファイルを押える１つの押え部(14)が設置された構造であり、且つ、
上記板材(10)は多層構造であり、上記多層構造の中央層(101)は少なくとも１つの発泡プラスチックによって構成され、上記中央層(101)の両側の表面にはそれぞれ１枚のプラスチック製表面層(102、103)が貼り付けられた構造であるようにしたものである。
【考案の効果】
【０００９】
１．本考案のファイルホルダー(20)の板材(10)は多層構造であり、中央層(101)は少なくとも１つの発泡プラスチックによって構成され、中央層(101)の両側の表面にはそれぞれ１枚の表面層(102、103)が貼り付けられる構造により、ファイルホルダー(20)の強度を高めることができ、更に同じ厚さの紙質のファイルホルダーと比べて製造コストを低く抑えることができ、故に、本考案のファイルホルダー(20)は構造強化及びコスト削減効果を具備することができる。
【００１０】
２．本考案のファイルホルダー(20)の板材(10)は多層構造であることにより、表面の２つの表面層(102、103)をそれぞれ異なる色彩にすることもできる。これによって、本考案のファイルホルダー(20)は異色層及び多様色彩を具備することができる。
【００１１】
３．本考案のファイルホルダー(20)内に一定重量のファイルをはさみ、携帯或いは壁面上等に固定したい時、使用者は手提げ部(21)を直接持つことにより、ファイルホルダー(20)を携帯することができ、或いは上記ファイルホルダー(20)の掛け穴(22)に壁面上等のくぎやフック等を通すことにより、壁面上等に設置することができ、持ったり、携帯したり、或いは壁面上に掛けたりすることが容易になり、使用性を高めることができる。
【考案を実施するための最良の形態】
【００１２】
次に本考案の実施の形態について説明する。
【実施例１】
【００１３】
図１及び図２は本考案の実施例１のファイルホルダー２０の閉じた状態及び開いた状態を示す。ファイルホルダー２０は、主に、板材１０の中央付近に二つ折り曲げ部１１ａ，１１ｂを有し、板材１０は折り曲げ部１１ａ，１１ｂで折り曲げられ、折り曲げられた上記板材１０は底板１２と上板１３を有し、底板１２の内側のうち折り曲げ部１１ａ付近に１つの押え部１４が設置され、この押え部１４によりファイルを押えることができる構造である。
【００１４】
図３及び図２に示すように、板材１０は多層構造であり、中央層１０１は少なくとも１つの発泡プラスチックによって構成され、中央層１０１の両側の表面にはそれぞれ１枚のプラスチック製の表面層１０２，１０３が貼り付けられた構造である。これによって、ファイルホルダー２０は、構造が強化され、且つ、同じ厚さの紙質のファイルホルダーと比べて製造コストを押えることができ、更に、異色層及び多様色彩を具備することができ、実用的である。
【００１５】
また、ファイルホルダー２０には、底板１２、上板１３のそれぞれの相対する適当な位置に開け口１２１が形成されて、相対的に手提げ部２１が形成してある。また、底板１２、上板１３のそれぞれの相対する適当な位置に貫通孔１２２，１３２が形成されて、掛け穴２２が形成してある。
【００１６】
よって、図４に示すように、ファイルホルダー２０内に一定重量のファイルをはさみ、使用者は手提げ部２１を直接持つことにより、ファイルホルダー２０を携帯することができる。また、図５に示すように、掛け穴２２を壁面上等のくぎやフック等を通すことによって、ファイルホルダー２０を壁面上等に設置することができる。このように、ファイルホルダー２０は、持ったり、携帯したり、或いは壁面上に掛けたりすることが容易になり、使用性が高い。
【００１７】
図６はファイルホルダー２０の別の板材１０の断面を示す。板材１０の中央層１０１は多層の発泡プラスチックによって構成してある。
【００１８】
また板材１０の中央層１０１と２つの表面層１０２，１０３が異なる色でもよいし、異なる模様でもよい。この構成により、ファイルホルダー２０は異色層及び多様色彩を具備する。
【図面の簡単な説明】
【００１９】
【図１】本考案のファイルホルダーの閉じた状態の立体図である。
【図２】本考案のファイルホルダーの開いた状態を示す立体図である。
【図３】本考案のファイルホルダーの板材の断面図である。
【図４】本考案のファイルホルダーの携帯状態を示す図である。
【図５】本考案のファイルホルダーを壁面上に掛けた状態を示す図である。携帯状態を示す図である。
【図６】本考案のファイルホルダーの板材の別の実施例の断面図である。
【符号の説明】
【００２０】
１０  板材
１１  折り曲げ部
１２  底板
１３  上板
１４  押え部
２０  ファイルホルダー
２１  手提げ部
２２  掛け穴
１０１  中央層
１０２，１０３  表面層
１２１、１３１  開け口
１２２、１３２  貫通孔
【図１】
0003104677.tif 000003
【図２】
0003104677.tif 000004
【図３】
0003104677.tif 000005
【図４】
0003104677.tif 000006
【図５】
0003104677.tif 000007
【図６】
0003104677.tif 000008
【手続補正書】
【提出日】平成16年4月19日(2004.4.19)
【手続補正１】
【補正対象書類名】図面
【補正対象項目名】全図
【補正方法】変更
【補正の内容】
【図１】
0003104677.tif 000009
【図２】
0003104677.tif 000010
【図３】
0003104677.tif 000011
【図４】
0003104677.tif 000012
【図５】
0003104677.tif 000013
【図６】
0003104677.tif 000014